(57)【特許請求の範囲】
【請求項１】
感圧複写記録面の全面または一部に可変情報を印字して用い得る感圧複写用紙であって、当該感圧複写用紙を構成する基材裏面の第１の部分に発色剤層を設け、該発色剤層の上の一部に特色発色剤層を設け、前記基材表面の第３の部分に顕色剤層を設け、該顕色剤層の上の一部に転移性顕色剤層を設け、感圧複写用紙を３つ巻き折りに折った際に、少なくとも、前記発色剤層の一部と前記顕色剤層の一部、および、前記特色発色剤層の一部と前記転移性顕色剤層の一部が対面して重なり合うことを特徴とする感圧複写用紙。
【請求項２】
前記発色剤層が発色剤マイクロカプセルからなることを特徴とする請求項１記載の感圧複写用紙。
【請求項３】
前記発色剤層が発色剤マイクロカプセルからなり、筆記または印字圧により、該マイクロカプセルの発色剤の一部が、顕色剤層に浸透することを特徴とする請求項１記載の感圧複写用紙。
【請求項４】
感圧複写記録面の全面または一部に可変情報を印字して用い得る感圧複写用紙であって、当該感圧複写用紙を構成する基材裏面の第１の部分に第１の発色剤層、基材裏面の第２の部分に第２の顕色剤層、基材裏面の第３の部分に第２の発色剤層を設け、該第１の発色剤層の上の一部に第１の特色発色剤層を設け、前記基材表面の第３の部分に第１の顕色剤層を設け、該第１の顕色剤層の上の一部に第１の転移性顕色剤層を設けており、感圧複写用紙を３つ巻き折りに折った際に、少なくとも、前記第１の発色剤層の一部と前記第１の顕色剤層の一部、および、前記第２の発色剤層の一部と前記第２の顕色剤層の一部が対面して重なり合い、さらに、前記第１の特色発色剤層と第１の転移性顕色剤層とが重なり合うことを特徴とする感圧複写用紙。
【請求項５】
第２の発色剤層の上の一部に第２の特色発色剤層がさらに設けられ、第２の顕色剤層の上の一部に第２の転移性顕色剤層がさらにもうけられており、基材を３つ巻き折りに折った際に、前記第２の特色発色剤層と第２の転移性顕色剤層とが重なり合うことを特徴とする請求項４記載の感圧複写用紙。
【請求項６】
前記第１、第２の発色剤層および前記特色発色剤層が発色剤マイクロカプセルからなることを特徴とする請求項４および請求項５記載の感圧複写用紙。
【請求項７】
前記第１、第２の発色剤層が発色剤マイクロカプセルからなり、筆記または印字圧により、該マイクロカプセルの発色剤の一部が、第１または第２の顕色剤層に浸透することを特徴とする請求項４および請求項５記載の感圧複写用紙。
【請求項８】
前記第１の発色剤層と、前記第２の発色剤層とは、異なる色に発色する発色剤により構成されていることを特徴とする請求項４および請求項５記載の感圧複写用紙。
【請求項９】
前記特色発色剤層に対応した基材裏面に筆記記録領域を示す位置表示枠が設けられていることを特徴とする請求項１から請求項８の何れかに記載の感圧複写用紙。
【請求項１０】
前記基材表面上に形成された発色剤層および顕色剤層からなる面上の少なくとも一部に、ノンインパクトプリンターにより可変情報が印刷されていることを特徴とする請求項１から請求項８の何れかに記載の感圧複写用紙。
【発明の詳細な説明】
【０００１】
【産業上の利用分野】
本発明は、感圧複写用紙に関する。さらに詳しくは、一枚ものの用紙からなる改ざん防止機能を有する感圧複写用紙であって、用紙面に汎用ノンインパクトプリンター等の印字装置でユーザー固有の可変情報を印字記録して利用し得、それ自身を３つ巻き折りに折ることで、筆記による感圧複写機能を発揮し得る感圧複写用紙に関する。
【０００２】
【従来の技術】
従来の感圧複写用紙（シート）は、例えば、特開平８−２３０３１７号公報にみられるように、一方の用紙基材の裏面に発色剤を塗布し、他方の用紙基材の表面に顕色剤を塗布し、それぞれの用紙端部を接着剤で接着することにより複数枚の用紙を重ね合わせた構成の、いわゆる複写シート組が挙げられる。
また、単票の用紙からなる感圧複写式情報記録用紙としては、特開平９−２０７４３３号公報が挙げられる。同公報の一枚ものの用紙からなる複写シートの構成は、シート基材面の全面に顕色剤層を設け、該顕色剤層の表面所定部分に減感インキ層を設け、該減感インキ層の表面に発色剤層を設けた感圧複写シートである。
【０００３】
従来の帳票類は、量産印刷による固定情報のみを付与したものであった。しかしながら、近年は、帳票類の形態に対する嗜好が、従来の固定情報のみのものに加えて、後からユーザーの目的に応じて必要な書式や情報を、固定情報に追加して印字（オーバーレイ印刷）できるものが求められるようになっている。感圧複写シートからなる帳票類も同様である。
特開平８−２３０３１７号公報に開示の構成の感圧複写シートは、顕色剤を塗布形成した用紙と、発色剤を塗布形成した用紙とを、別々に用意し、その後に重ね合わせて、両用紙端部を接着や密着等の手段で接合して用いる、いわゆる複写帳票組と称されるものである。当該複写帳票組に対する顧客の個別情報の印字は、インパクトプリンター（ドットプリンターともいう。）を用いて、重ね合わされた帳票の表面から圧力を加えて印字する必要がある。
しかしながら、近年、追加する可変情報をオーバーレイ印刷する手段は、印刷品質、コスト、処理速度の面から見てインパクトプリンターからノンインパクトプリンターに変わってきている。そのため、このような重ね合わせ方式の複写帳票組に可変情報をオーバーレイ処理するには、わざわざインパクトプリンターを別に用意する必要がある、という課題がある。
【０００４】
特開平９−２０７４３３号公報に開示の構成の感圧複写シートによれば、全面に設けた顕色剤層上の一部に減感インキ層を介して発色剤層を設け、該発色剤層を内側にして折り畳むことで、用紙裏面からの筆記圧により発色剤の一部が顕色剤層面に転移して文字等を顕色剤層表面に表示することができる。
しかしながら、減感インキ層を設けたとは云うものの、自己発色性であるため筆記圧が加わり、発色剤マイクロカプセルが破れると、発色剤はオイル状であるため、発色剤が、減感インキ層をとおして、該減感インキ下層の顕色剤と反応するため、当該筆記部分に滲んだ画像ができる。また、単に積み重ねて保存しておくだけでも条件によっては、減感インキ層を介して顕色剤と発色剤が反応してしまい、用紙表面が汚れたような状態になる、という課題がある。
【０００５】
【発明が解決しようとする課題】
そこで、本発明では、折り畳んで使用、特に３つ巻き折りに折ることにより感圧複写用紙の機能を発揮でき、単票の状態でユーザーにおいて可変情報をオーバーレイ印刷し易く、かつ金額等の所定の筆記後には、当該部分の改ざんが困難な一枚ものの複写用紙を提供すべくなされたものである。
【０００６】
【課題を解決する手段】
上記課題を解決する本発明の要旨の第１は、感圧複写記録面の全面または一部に可変情報を印字して用い得る感圧複写用紙であって、当該感圧複写用紙を構成する基材裏面の第１の部分に発色剤層を設け、該発色剤層の上の一部に特色発色剤層を設け、前記基材表面の第３の部分に顕色剤層を設け、該顕色剤層の上の一部に転移性顕色剤層を設け、感圧複写用紙を３つ巻き折りに折った際に、少なくとも、前記発色剤層の一部と前記顕色剤層の一部、および、前記特色発色剤層の一部と前記転移性顕色剤層の一部が対面して重なり合うことを特徴とする感圧複写用紙、にある。かかる感圧複写用紙であるので、筆記または印字事項の改ざんが困難となる。
【０００７】
上記課題を解決する本発明の要旨の第２は、感圧複写記録面の全面または一部に可変情報を印字して用い得る感圧複写用紙であって、当該感圧複写用紙を構成する基材裏面の第１の部分に第１の発色剤層、基材裏面の第２の部分に第２の顕色剤層、基材裏面の第３の部分に第２の発色剤層を設け、該第１の発色剤層の上の一部に第１の特色発色剤層を設け、前記基材表面の第３の部分に第１の顕色剤層を設け、該第１の顕色剤層の上の一部に第１の転移性顕色剤層を設けており、感圧複写用紙を３つ巻き折りに折った際に、少なくとも、前記第１の発色剤層の一部と前記第１の顕色剤層の一部、および、前記第２の発色剤層の一部と前記第２の顕色剤層の一部が対面して重なり合い、さらに、前記第１の特色発色剤層と第１の転移性顕色剤層とが重なり合うことを特徴とする感圧複写用紙、にある。かかる感圧複写用紙であるので、筆記または印字事項の改ざんが困難となる。
【０００８】
【発明の実施の形態】
以下、図面を参照して、本発明の感圧複写用紙の実施形態を詳述する。本発明の感圧複写用紙には、実施形態Ｉ．と実施形態II．とがあるので、それぞれについて、以下順次説明する。
図１は、本発明の実施形態Ｉ．の感圧複写用紙を３つ巻き折りに折って使用する状態の断面図、図２は、同平面に展開した場合の断面図、図３は、同平面に展開した場合の平面図を示す図である。
【０００９】
図１のように、本発明の実施形態Ｉ．の感圧複写用紙は単票の用紙からなる。図１において、符号１０は複写用紙の基材、１３ａ，１３ｂは折り線を示す。折り線１３ａ，１３ｂは通常は複写用紙を３つの部分にほぼ等分するように設けられるが等分でなくても発色剤層と顕色剤層の少なくとも一部が重なり合えば複写用紙の機能を果たすことができる。図１では折った断面状態が矩形状に図示されているが図示の都合上で、実際には紙であるから平面的な状態に折られる。
図１のように、３つ巻き折りに折った状態では、基材１０の第１の部分１０１裏面に設けられた発色剤層１１と基材１０の第３の部分１０３表面に設けられた顕色剤層２１が対面する状態になる。この状態で用紙の表面から筆記具３０またはインパクトプリンタ等により記録することにより発色剤層１１と顕色剤層２１が「反応Ａ」し、顕色剤層が発色する。なお、用紙の表面、裏面とはいずれがどちらであっても構わないが便宜上、筆記等する側を表面としその反対面を裏面とすることにする。また、用紙を３つ巻き折りにして使用する際の筆記具等が接触する上面部分を第１の部分１０１、最下面部分を第２の部分１０２、中折り部分を第３の部分１０３ということにする。
【００１０】
発色剤層１１の一部には特色発色剤層１２が設けられていて、当該部分に筆記具３０またはインパクトプリンタ等による筆圧等がかかった場合は、転移性顕色剤層２２との間で、発色剤層１１と特色発色剤層１２とが混ざった他の部分とは異なる色、すなわち特色に発色して発色剤層側に転移する特性を有する。特色発色剤層１２は転移性顕色剤層２２があってはじめて「反応Ｂ」して発色する。また、「反応Ａ」と「反応Ｂ」との組み合わされた発色反応もあり得る。
この発色は、転移性顕色剤層２２のある顕色剤層２１の部分で特色発色するが、転移性顕色剤層２２は特色発色剤層１２側にも転移するし、顕色剤層２１の部分にも残存する。かかる特色発色剤層部は特色であるので、用紙の第１の部分に転移した場合に他の部分と異なる発色となり、当該部分の改ざんを困難にするとともに改ざんの発見を容易にすることができる。
図２の平面に展開した場合の断面図のように、発色剤層１１、顕色剤層２１、特色発色剤層１２、転移性顕色剤層２２ともに用紙を３等分した左右の部分、すなわち第１の部分１０１、第３の部分１０３部分に塗布形成されており、中央部分１０２には塗布されていない。
【００１１】
図３は、実施形態Ｉ．の感圧複写用紙を平面に展開した平面図であって、図３（Ａ）は表面側、図３（Ｂ）は裏面側を示している。複写用紙の感圧記録材料塗布部と折り線のみ表示され、その他の印刷表示等は省略されている。図３（Ａ）のように、複写用紙は折り線１３ａ，１３ｂにより前記３つの部分１０１，１０２，１０３に分割されており、表面側には、顕色剤層２１、転移性顕色剤層２２を塗設し、基材１０の１０３部分を内側として１０１部分と対面するように折り畳んで使用することになる。折り線１３ａ，１３ｂは切り取り可能なミシン目線であってもよい。
図３（Ｂ）のように、複写用紙の裏面側には、発色剤層１１を塗設しており、当該発色剤層の一部に特色発色剤層１２が設けられている。当該特色発色剤層１２に対応する表面側には記入欄が設けら、領収金額とか、コード番号とかの特別の事項が記入されることになる。
【００１２】
図４は、本発明の実施形態II．の感圧複写用紙を３つ巻き折りに折って使用する状態の断面図、図５は、同平面に展開した場合の断面図、図６は、同平面に展開した場合の平面図を示す図である。いずれも第２の特色発色剤層１２２と第２の転移性顕色剤層２２２を設けた例が図示されているが、当該第２の特色発色剤層１２２、第２の転移性顕色剤層２２２は設けなくてもよい。
【００１３】
図４のように、本発明の実施形態II．の感圧複写用紙も単票の用紙からなる。図１において、符号１０は複写用紙の基材、１３ａ，１３ｂは折り線を示す。
図４のように、３つ巻き折りに折った状態では、基材１０の第１の部分１０１裏面に設けられた第１の発色剤層１１１と基材の第３の部分１０３表面に設けられた第１の顕色剤層２１１、および第１の特色発色剤層１２１と第１の転移性顕色剤層２２１が対面する状態になる。また、基材１０の第３の部分１０３裏面には第２の発色剤層１１２が設けられ、第２の部分裏面に設けられた第２の顕色剤層２１２と対面する状態になる。第２の特色発色剤層１２２と第２の転移性顕色剤層２２２を設ける場合はこれらも対面することになる。
この状態で用紙の表面から筆記具３０またはインパクトプリンタ等により記録することにより第１の発色剤層１１１と第１の顕色剤層２１１が「反応Ａ」し、第１の顕色剤層２１１が発色する。また、第２の発色剤層１１２と第２の顕色剤層２１２が「反応Ｃ」し、第２の顕色剤層２１２が発色する。
【００１４】
第１の発色剤層１１１の一部には部分的に第１の特色発色剤層１２１が設けられていて、当該部分に筆圧等がかかった場合は、第１の転移性顕色剤層２２１との間で「反応Ｂ」し、すなわち発色剤層１１１と第１の特色発色剤層１２１が混ざって他の部分とは異なる特色に、第１の転移性顕色剤層２２１との間で発色して第１の発色剤層１１１側に転移する特性を有する。同様に、必要により第２の発色剤層１１２の一部には部分的に第２の特色発色剤層１２２が設け、当該部分に筆圧等がかかった場合は、第２の転移性顕色剤層２２２との間で「反応Ｄ」し、すなわち発色剤層１１２と第２の特色発色剤層１２２が混ざって他の部分とは異なる特色に発色して第２の発色剤層１１２側に転移する特性を有する。前記のように、この第１、第２の特色発色剤層はいずれも転移性顕色剤層との間で発色するが、第１の転移性顕色剤層２２１のある第１の顕色剤層の部分で特色発色（第１の発色剤層１１１と第１の特色発色剤層１２１との混色）する。第１の転移性顕色剤層２２１は１２１側にも転移するし、２１１側にも残存する。
この関係は第２の特色発色剤層１２２と第２の転移性顕色剤層２１２との間においても同様である。
【００１５】
図５の平面に展開した場合の断面図のように、基材の１０１部分裏面に第１の発色剤層１１１と第１の特色発色剤層１２１、１０２部分裏面に第２の顕色剤層２１２と第２の転移性顕色剤層２２２、１０３部分裏面に第２の発色剤層１１２と第２の特色発色剤層１２２が塗布形成され、１０３部分表面には第１の顕色剤層２１１と第１の転移性顕色剤層２２１が塗布されている。
【００１６】
図６は、実施形態II．の感圧複写用紙を平面に展開した平面図であって、図６（Ａ）は表面側、図６（Ｂ）は裏面側を示している。図６（Ａ）のように、複写用紙は折り線１３ａ，１３ｂにより３つの部分１０１，１０２，１０３に分割されており、表面側には、第１の顕色剤層２１１と第１の特色発色剤層２２１を塗設し、基材１０の１０３部分を内側として１１１部分と対面するように折り畳んで使用することになる。
図６（Ｂ）のように、複写用紙の裏面側には、第１の発色剤層１１１、第２の顕色剤層２１２、第２の発色剤層１１２を順次塗設しており、当該第１の発色剤層の一部に第１の特色発色剤層１２１が設けられている。また、必要により第２の発色剤層１１２の一部に第２の特色発色剤層１２２を設ける。当該第１および第２の特色発色剤層１２１，１２２に対応する顕色剤層側には転移性顕色剤層２２１、２２２を設け、表面側には記入または印字欄が設けられ、領収金額とか、コード番号とかの特別の事項が記入されることになる。
【００１７】
図３、図６では、白紙の用紙からなり印刷は省略されているが用紙に共通に必要な固定情報を予め印刷して施しておいても良い。
ユーザーが設ける文字、数字や記入欄の罫線等の固有の可変情報は、この感圧複写用紙の表裏の発色剤層、顕色剤層の塗布領域のいずれの部分にも印刷形成することができる。
【００１８】
次に、本発明の感圧複写用紙の使用方法について説明する。
図７は、本発明の感圧複写用紙を折り畳む工程と折り畳んだ後の状態を示し、図８は、感圧複写用紙（実施形態Ｉ．）に記入後再び平面状態に展開した状態を示す。本発明の感圧複写用紙の実施形態Ｉ．は、図７のように、折り線１３ａ，１３ｂから基材の１０３の部分が内側となるように３つ巻き折りに折ると、すなわち図７（Ａ）の▲１▼→▲２▼の順序で折ると、基材表面の顕色剤層が形成されている領域が、発色剤層が形成されている領域に対面する。複写用紙の表面には、顧客の住所・氏名等記入欄１５と、特色発色剤層が塗布された部分の表面には領収金額等記入欄１６が設けられている（図７（Ｂ））。
この状態で基材表面の住所・氏名等記入欄１５にボールペン等の筆記具またはインパクトプリンター等により記録することにより、筆記または印字圧により発色剤と顕色剤とが「反応Ａ」し、顕色剤層が発色する。また、領収金額等記入欄１６に記入することにより特色発色剤層１２と転移性顕色剤層２２が「反応Ｂ」して発色する。
このとき、特色発色剤層１２の色素と発色剤層１１の色素とを異なる色の色素にしておくと、発色剤層１１と顕色剤層２１との「反応Ａ」により生ずる色と、発色剤層１１と特色発色剤層１２の混合色の発色が転移性顕色剤層２２との「反応Ｂ」により生ずる色とは、異なる色になる。
【００１９】
筆記または印字圧により発色剤層１１と特色発色剤層１２の混合色素が顕色剤層２２部分に転移し、顕色剤層２１とが反応し、「イ」に「正パターン」の文字が形成される。また、顕色剤層２２は転移性のものであるから発色剤層１１と特色発色剤層１２の混合色素と顕色剤層２２が反応し、「ウ」に「逆パターン」の文字が形成される。すなわち転移性顕色剤層２２が特色発色剤層１２部分に転移する。
【００２０】
図８のように、感圧複写用紙の表面から住所・氏名等記入欄１５に記入すると基材の第３の部分１０３表面には、発色剤層１１と顕色剤層２１との「反応Ａ」により（ア）の色が発色し、領収金額欄１６に「４０００」の数字を記入すると基材の第１の部分裏面には、発色剤層１１と特色発色剤層１２と転移性顕色剤層２２の反応により（ウ）の色が発色し、基材の第３の部分１０３表面には、発色剤層１１と特色発色剤層１２と顕色剤層２１と転移性顕色剤層２２との「反応Ｂ」により（イ）の色が発色することになる。この時、転移性顕色剤層２２は基材の第３の部分にも残るし、基材の第１の部分裏面へも転移する機能がある。これは、発色剤層１１と特色発色剤層１２混合の特色性があることと転移性顕色剤層２２があって初めて発色することから、領収金額の改ざん防止に極めて有効な手段を提供することになる。
【００２１】
なお、基材の１０２部分に顕色剤層がないことは、レーザービームプリンタ等を使用する際、搬送ローラが中央に位置しているプリンターを使用する場合、ローラの磨耗を防ぐことができる。
【００２２】
図９は、感圧複写用紙（実施形態II．）に記入後再び平面状態に展開した状態を示す。本発明の感圧複写用紙の実施形態II．の場合は、図９（Ｂ）のように、基材の第２の部分の裏面にも「正パターン」文字で、住所、氏名および領収金額等の転記がされることで実施形態Ｉ．の場合と相違する。第１の発色剤層、顕色剤層間と第２の発色剤層、顕色剤層間の発色を異なる発色にしておけば用紙の種別の違いが明瞭になる。
第２の特色発色剤層１２２に対応する基材表面の第１の部分１０１または第３の部分１０３のみの部分に特定事項の記載欄を設けておけば、基材の第２の部分１０２の裏面に特色に転移した記録を得ることができる。この記録は、第１の部分を除去して第３の部分表面からのみ記入することにすれば顧客に知り得ない情報等を記録することもできる。また、１０１部分回収後の追記で、上記のような改ざんを防止できる効果もある。
【００２３】
図９のように、感圧複写用紙の表面から住所・氏名等記入欄に記入すると基材の第３の部分１０３表面、（ア）の色が発色し、領収金額欄に（ウ）の色が発色し、基材の第３の部分１０３表面には、（イ）の色が発色することは前記実施形態Ｉ．の場合と同様である。実施形態II．の場合は、第２の発色剤層１１２と第２の顕色剤層２１２との「反応Ｃ」により、（エ）の色が発色し、基材の第３の部分１０３裏面には、第２の発色剤層１１２と第２の特色発色剤層１２２と第２の顕色剤層２１２との反応により（カ）の色が発色し、基材の第２の部分１０２裏面には、第２の発色剤層１１２と第２の特色発色剤層１２２と第２の転移性顕色剤層２２２と第２の顕色剤層２１２との「反応Ｄ」により（キ）の色が発色することになる。
【００２４】
特色発色剤層の発色部分は、後から別の手段で同じ色調の発色をさせることは、単色の発色剤を用いた場合に比べて困難であるから、一旦、筆記により複写形成された文字そのものの改ざんがし難い。また、転移性のものであるので一旦、領収書を発行した後に、お客様控えの取引額に記入し、例えば、図８の１６の欄に「４０００」円と記入したのを「１４０００」円に改ざんしても、その裏面の領収金額欄を見れば、逆文字ではあるが正しい数字が残っているので改ざんした事実が一目瞭然である。
【００２５】
本発明の感圧複写用紙１は、顕色剤層が形成されている基材１０の表面の全面または一部に、例えば、保険会社名、お客様番号、氏名、住所などの記入欄をノンインパクトプリンターを用いてオーバーレイ印刷することができる。図示はされていないが紙面を装飾する模様や地紋印刷等を設けておくのも好ましい。これらはユーザーが追加する可変情報に該当する。また、顕色剤層形成部分は、領収金額が書かれるので、領収金額等記入欄１６として位置表示枠を印刷しておくことが好ましい。
【００２６】
本発明の感圧複写用紙は、３つ巻き折りにし、記入または印字して使用し、顕色剤層に複写した後、折り線１３ａ，１３ｂを境に分離して用いるのが通常である。利用分野の一例としては、顕色剤層の形成されている１０２，１０３部分を支店、本店等の控え、発色剤層のみの形成されている１０１部分をお客様領収書とすることができる。また、１０１，１０２部分を支店、本店の控え、１０３部分をお客様領収書とすることもできる。
可変情報としては、一般的には、本体用紙と控え用紙とを関連付ける共通番号、その他後から付与する情報があり、これらの情報を、本体用紙と控え用紙の両方に、同時に印字形成する必要がある。これらの情報は、各帳票ごとにユニーク情報である必要があり、予め印刷して設けても良く、使用に際してその都度、印刷しても良く、コンピューターからの情報を適宜印字できるプリンター装置が処理が適している。図示はしないが、第１の顕色剤塗布領域の裏面に印刷するのも自由である。
【００２７】
可変情報の形成手段としては、レーザービームプリンター、インキジェットプリンター、イオンプリンター感熱転写プリンター等のノンインパクトプリンター、ファクシミリ装置等を用いることができる。顧客が記入する個々に異なる個別情報は、勿論ノンインパクトプリンターで印字しても構わない。
【００２８】
なお、本発明の感圧複写用紙は、３つ巻き折りに折り畳む例について説明したが、３つ折り（Ｚ折り）の場合にも塗布位置を適宜変更することにより適用できる。本発明の感圧複写用紙の利用分野としては、生命保険や損害保険の申込書、領収書、口座振替依頼書、その他、各種製造業の納入書、物流伝票などが挙げられる。
【００２９】
（材料に関する実施例）
発色剤層、特色発色剤層には、電子供与性の発色剤溶液をマイクロカプセル化して公知の手段でインキ化したものか使用でき、顕色剤としては電子受容性の顕色剤をインキ化したものを使用することができる。発色剤としては、スピロ系染料、フルオラン系染料、トリアリールメタン系染料、ジフェニルメタン系染料、チアジン系染料等が上げられるがこれらに限られるわけではない。
発色剤層、特色発色剤層は、上記のような染料の中から、発色する色調が異なるものを組み合わせて用いる。具体的には、発色剤層の染料としては、３−フェニル−スピロ−ジナフトピラン（スピロ系染料）、特色発色剤層の染料としては、３−ピペリジノ−メチル−７−フェニルアミノオラン（フルオラン系染料）を用いることができる。
また、転移性顕色剤層は、転移性を持たせるために、通常の顕色剤の構成の他に、流動性油分、ワックスを主成分とし、その他、必要に応じて、炭酸カルシウム、エチレン−酢酸ビニル共重合体、バインダー等を添加したインキを用いて形成する。
【００３０】
【発明の効果】
本発明の感圧複写用紙は、単に一枚ものの用紙からなるのでユーザー側において、固有の書式たる可変情報をノンインパクトプリンター等でオーバーレイ印刷するのに適するという効果がある。
基材上の折り線を境に発色剤層と、顕色剤層を塗り分けて、後から３つ巻き折りに折って使用する際に、発色剤と顕色剤とが反応するため、自己発色層を設ける場合のように発色による汚れが生じないという効果がある。
基材表面の発色剤層と特色発色剤層が重畳した部分では、発色剤と特色発色剤および転移性顕色剤層が混ざった状態で反応するため、それぞれの発色剤による色調と異なる色調の正文字が、顕色剤層に現れる。従って、一旦、筆記により複写形成された文字は改ざんし難い、という効果がある。
【図面の簡単な説明】
【図１】  本発明の実施形態Ｉ．の感圧複写用紙を３つ巻き折りに折って使用する状態の断面図である。
【図２】  同平面に展開した場合の断面図である。
【図３】  同平面に展開した場合の平面図である。
【図４】  本発明の実施形態II．の感圧複写用紙を３つ巻き折りに折って使用する状態の断面図である。
【図５】  同平面に展開した場合の断面図である。
【図６】  同平面に展開した場合の平面図である。
【図７】  本発明の感圧複写用紙を折り畳む工程と折り畳んだ後の状態を示す。
【図８】  感圧複写用紙（実施形態Ｉ．）に記入後再び平面状態に展開した状態を示す。
【図９】  感圧複写用紙（実施形態II．）に記入後再び平面状態に展開した状態を示す。
【符号の説明】
１    感圧複写用紙
１０    基材
１１    発色剤層
１２    特色発色剤層
１３ａ，１３ｂ  折り線
１５    住所・氏名等記入欄
１６    領収金額等記入欄
２１    顕色剤層
２２    転移性顕色剤層
３０    筆記具
１０１    基材の第１の部分
１０２    基材の第２の部分
１０３    基材の第３の部分
１１１    第１の発色剤層
１１２    第２の発色剤層
１２１    第１の特色発色剤層
１２２    第２の特色発色剤層
２１１    第１の顕色剤層
２１２    第２の顕色剤層
２２１    第１の転移性顕色剤層
２２２    第２の転移性顕色剤層
【図１】
0004156123.tif 000002
【図２】
0004156123.tif 000003
【図３】
0004156123.tif 000004
【図４】
0004156123.tif 000005
【図５】
0004156123.tif 000006
【図６】
0004156123.tif 000007
【図７】
0004156123.tif 000008
【図８】
0004156123.tif 000009
【図９】
0004156123.tif 000010